(57)【要約】【課題】ディスクドライブ本体２の前面３にコネクタ４を備えているハードディスクドライブ１の保護ケース１０において、携行時にコネクタ４を他物と接触しないよう確りと保護する。【解決手段】ケース本体１１は、上面板１２、左右の側面板１３・１３および後面板１５のみからなっていて、前面および下面が開放している。ケース本体１１にこれの前方からハードディスクドライブ１を前面３側より下方への抜け落ちを図って前後スライド自在に挿嵌できる。ケース本体１１にハードディスクドライブ１を挿嵌した状態において、ケース本体１１には、ハードディスクドライブ１がケース本体１１の前方外側へ不用意に抜け出すのを規制する抜け出し規制手段が設けられている。【選択図】図２
2005247370.tif 000002
【特許請求の範囲】
【請求項１】
ディスクドライブ本体２の前面３にコネクタ４を備えているハードディスクドライブ１の保護ケース１０であって、
ケース本体１１は、上面板１２、左右の側面板１３・１３および後面板１５のみからなっていて、前面および下面が開放しており、
ケース本体１１にこれの前方からハードディスクドライブ１がディスクドライブ本体２の前面３側より下方への抜け落ちを図って前後スライド自在に挿嵌でき、
ケース本体１１にハードディスクドライブ１を挿嵌した状態において、ケース本体１１には、ディスクドライブ本体２の一部に係合してハードディスクドライブ１がケース本体１１の前方外側へ不用意に抜け出すのを規制する抜け出し規制手段が設けられているハードディスクドライブ用保護ケース。
【請求項２】
ディスクドライブ本体２の左右側面５・５に、前端が開放していて前後方向に延びるガイド溝６・６を有し、
ケース本体１１の左右側面板１３・１３に、前記ガイド溝６・６に前後スライド自在に嵌係合する突部（１６・１７）が突設されている請求項１記載のハードディスクドライブ用保護ケース。
【請求項３】
ディスクドライブ本体２の一部に位置決め用の凹み８が形成されており、
ケース本体１１には、前記抜け出し規制手段として、前記凹み８に落ち込み係合する係止突起１９が設けられている請求項１又は２記載のバードディスクドライブ用保護ケース。
【請求項４】
ディスクドライブ本体２の左右には、上面７と左右の各側面５・５とを跨いで前記凹み８・８が形成されており、
ケース本体１１の左右には、これの左右の各側面板１３または上面板１２に、前記凹み８に係合する係止突起１９・１９が設けられている請求項３記載のハードディスクドライブ用保護ケース。
【請求項５】
ディスクドライブ本体２と、これの前面３に設けたコネクタ４と、ディスクドライブ本体２の左右側面５・５に設けられて前端が開放する状態で前後方向に延びるガイド溝６・６と、ディスクドライブ本体２の上面７と左右の各側面５・５とを跨いで形成された位置決め用の凹み８・８とを含むハードディスクドライブ１を対象とする透明プラスチック製の保護ケースであって、
ケース本体１１は、上面板１２、左右の側面板１３・１３および後面板１５のみからなっていて前面および下面が開放しており、
ケース本体１１の左右の各側面板１３には、後方寄りの前後位置に、前記ガイド溝６・６にスライド自在に嵌係合する突部１６・１７が一体に突設されており、
ケース本体１１の左右側面板１３・１３または上面板７の左右端には、ケース本体１１にハードディスクドライブ１を完全に挿嵌した状態において、前記凹み８に落ち込み係合する係止突起１９・１９が、前後の突部１６・１７間に位置して一体に突設されていることを特徴とするハードディスクドライブ用保護ケース。
【発明の詳細な説明】
【技術分野】
【０００１】
本発明は、ディスクドライブ本体２の前面３にコネクタ４を備えているハードディスクドライブ１を対象とする保護ケースに関する。
【背景技術】
【０００２】
近年、ＡＶ機器やコンピュータなどに着脱自在に装着できる小型軽量で大容量のハードディスクドライブ１として、機器側から取り外して持ち運び可能としたリムーバルハードディスクドライブ（ＨＤＤ）と称される形態が開発された。
【０００３】
そこでのハードディスクドライブ１は、四角形状のディスクドライブ本体２と、ディスクドライブ本体２の前面３に設けたコネクタ４と、ディスクドライブ本体２の左右側面５・５に設けられて前端が開放する状態で前後方向に延びる装填用のガイド溝６・６と、ディスクドライブ本体２の前端寄り部位においてこれの上面７と左右の各側面５・５とを跨いで形成された位置決め用の凹み８とを含む。
【０００４】
かかるハードディスクドライブ１の携行に際し、コネクタ４は露出状態にあるので、これを他物と接触しないように保護する必要がある。問題は、そのための保護ケースをいかなる形態にするかにある。この点に関し、未だ定型化された保護ケースは見当たらない。
【０００５】
特許文献１には、光磁気ディスクを専用のケースに収納した状態で数巻まとめて整理保管するための保護ケースが提案されている。
【０００６】
特許文献２および３には、オーディオ用のテープカセットを対象として、内蔵テーブの弛み止めを図るために、カセットケースを必要最小限の範囲内でカバーする保護ケースが提案されている。
【０００７】
【特許文献１】特開平１０−２１１９８３号公報（段落番号０００８、図１）
【特許文献２】実開平４−１１８３９０号公報（段落番号００１０、図１）
【特許文献３】実開平５−４２１９５号公報（段落番号００１３、図９）
【発明の開示】
【発明が解決しようとする課題】
【０００８】
本発明は、固有の形態を持つハードディスクドライブを対象とする。これに対し、特許文献１〜３の保護ケースは、いずれも保護対象が本発明のそれとは余りにも異なり過ぎ、比較にならない。
【０００９】
ハードディスクドライブの保護ケースとして、ハードディスクドライブの全周を完全に包み込むようにすることは容易に考えられる。しかし、それでは保護ケースこれ自体が嵩張るうえに重量アップとなり、携行に向かないものとなる。そこで本発明の目的は、ハードディスクドライブの携行に際しては、コネクタさえ保護すれば良いとの観点から、ハードディスクドライブの脱着性を良好に図りながら、安価に量産できるハードディスクドライブ用の保護ケースを提供することにある。
【課題を解決するための手段】
【００１０】
本発明は、前述のハードディスクドライブ１を対象とする透明プラスチック製の保護ケースにおいて、ケース本体１１が、上面板１２、左右の側面板１３・１３および後面板１５のみからなっていて前面および下面が開放しており、ケース本体１１の左右の各側面板１３には、後方寄りの前後位置に、前記ガイド溝６・６にスライド自在に嵌係合する突部１６・１７が一体に突設されており、ケース本体１１の左右側面板１３・１３または上面板１２の左右端には、ケース本体１１にハードディスクドライブ１を完全に挿嵌した状態において、前記凹み８・８に落ち込み係合する係止突起１９・１９が、前後の突部１６・１７間に位置して一体に突設されていることを特徴とする。
【発明の効果】
【００１１】
本発明の保護ケース１０によれば、これのケース本体１１をディスクドライブ本体２に装着した状態において、ケース本体１１は下面および前面が開放状態にあるが、ディスクドライブ本体２の前面３の肝心なコネクタ４はケース本体１１の後面板１５で確りと保護できる。ケース本体１１は下面板が省略されているので、その分だけ保護ケース１０の上下厚みが小さくなり、携行時に嵩張ることがなく、安価に量産できる。
【発明を実施するための最良の形態】
【００１２】
図面は本発明に係るリムーバブル・ハードディスクドライブ（ＨＤＤ）の保護ケースの実施例を示す。このハードディスクドライブ１は、先に説明したとおりである。
【００１３】
本発明の保護ケース１０は、図１および図２に示すごとく、透明のプラスチック成形品であり、ケース本体１１が四角形の上面板１２と、これの左右側縁および後縁の三方周縁から下向きに連設した左右の側面板１３・１３および後面板１５とのみからなり、前面および下面が開放するシンプルな基本形態を採る。
【００１４】
左右の各側面板１３の内面には、後方寄りの前後位置に一対の突部１６・１７がそれぞれ内向き対向状に形成されている。このうち、前側の第１突部１６は、側面板１３の前後方向中央部位に位置し、後ろ側の第２突部１７は、側面板１３の後端近くに位置する。
【００１５】
ケース本体１１の内面には、上面板１２と左右の各側面板１３とが交わる内隅部に係止突起１９が一体に突設されている。この係止突起１９は前後の第１・第２突部１６・１７間に位置する。
【００１６】
上面板１２の前縁には、指掛け用の切り欠き２０が形成されている。左右の各側面板１３の外面には、後端部位に縦向きの凹凸条からなる滑り止め２１がそれぞれ一体に成形されている。
【００１７】
ハードディスクドライブ１に保護ケース１０を装着するに際しては、ケース本体１１にこれの前方からディスクドライブ本体２を前面３側より挿嵌する。このとき、ディスクドライブ本体２の上面７および左右側面５・５がケース本体１１の上面板１２および左右側面板１３・１３の内面に摺接する。
【００１８】
ケース本体１１にディスクドライブ本体２を挿嵌して行くと、ケース本体１１側の前側の第１突部１６がディスクドライブ本体２側の各ガイド溝６にこれの開口前端側からスライド嵌合し、遅れて後ろ側の第２突部１７も各ガイド溝６にスライド嵌合する。
【００１９】
ディスクドライブ本体２を、これの前面３がケース本体１１の後面板１５に突き当たるまで挿嵌すると、この挿嵌終端においてケース本体１１の各係止突起１９がディスクドライブ本体２側の各凹み８にパチンとクリック感を以て落ち込み係合し、これで装着作業が完了する。
【００２０】
ケース本体１１にハードディスクドライブ１を挿嵌して装着した状態において、ケース本体１１の上面板１２、左右側面板１３・１３それに後面板１５が、ディスクドライブ本体２の上面７、左右側面５・５それに前面３をそれぞれ覆って保護する。したがって、この装着状態でハードディスクドライブ１は、これの下面および後面が剥き出し状態にあるが、コネクタ４は損傷を受けることなくバッグ類に入れて携行できるし、保管しておける。因みに、コネクタ４はディスクドライブ本体２の前面３より外側に突出しない状態で本体外面に臨んでいる。
【００２１】
ハードディスクドライブ１に保護ケース１０を装着した状態において、ガイド溝６に嵌合した第２突部１７および特に第１突部１６は、ケース本体１１からディスクドライブ本体２が下方に抜け落ちることを規制する。同時に、ディスクドライブ本体２の前面３がケース本体１１の後面板１５に突き当たることにより、ケース本体１１に対するディスクドライブ本体２の後方への移動限界が規制され、係止突起１９が凹み８の後縁に当たることにより、ケース本体１１に対するディスクドライブ本体２の前方への移動限界が規制される。係止突起１９は凹み１８に多少の融通ガタを以て係合しており、この融通ガタはコネクタ４の保護の支障にならない。
【００２２】
保護ケース１０からハードディスクドライブ１を取り外すときには、一方の手でケース本体１１の左右側面板１３・１３の後端部を滑り止め２１・２１を介して挟み持ち、他方の手でケース本体１１に設けた切り欠き２０を介してディスクドライブ本体２の後部の上下面を摘み、ケース本体１１の前方にディスクドライブ本体２を引く。これで係止突起１９が凹み８から外れると、そのままケース本体１１からディスクドライブ本体２を抜き出せる。
【００２３】
上記の実施例では、保護ケース１０にハードディスクドライブ１を装着した状態において、保護ケース１０の左右側面板１３・１３および後面板１５の下縁がディスクドライブ本体２の下面と実質的に面一状となり、かつ保護ケース１０の前縁もディスクドライブ本体２の後面と実質的に面一状となるようにしたが、ディスクドライブ本体２の下面および後面がケース本体１１から突出状態でもよい。
【００２４】
保護ケース１０は、透明ないし半透明であればディスクドライブ本体２の上面７の貼付のラベルなどを視認するに有利であるが、必ずしも透明であることを要しない。ケース本体１１側の係止突起１９は、上面板１２または左右の各側面板１３にのみ設けられていてディスクドライブ本体２側の凹み８に係合する仕様であってもよいし、ディスクドライブ本体２の異なる部位に存する条溝その他の凹み８を利用してこれに係止突起１９が係合するようにも設計変更できる。係止突起１９は突条（線状突起）でもよく、例えばディスクドライブ本体２の上面７の凹み８を有しない部分に局部的に押圧下で接触するのみでもよい。
【００２５】
ケース本体１１側の突部１６・１７は、前側の第１突部１６のみでもよいし、両突部１６・１７がつながった１本の線状突部で形成されていてもよい。ケース本体１０にディスクドライブ本体２を挿嵌した状態において、ケース本体１０の後面板１５とディスクドライブ本体２の前面３との間に隙間が形成されていてもよい。請求項１記載の本発明においては、ケース本体１１の左右側面板１３・１３の下端に水平状の受片を内向き対向状に設け、この受片でディスクドライブ本体２の下面の左右端部を下方への抜け落ちを防止して受け止める形態であってもよい。
【図面の簡単な説明】
【００２６】
【図１】保護ケースを前方側から見た斜視図
【図２】ハードディスクドライブと保護ケースとを示す斜視図
【図３】保護ケースにハードディスクドライブを装着した状態での平面図
【図４】保護ケースに対するハードディスクドライブの装着要領を説明するための縦断側面図
【符号の説明】
【００２７】
１  ハードディスクドライブ
２  ディスクドライブ本体
３  ディスクドライブ本体の前面
４  コネクタ
５  ディスクドライブ本体の左右の側面
６  ガイド溝
７  ディスクドライブ本体の上面
８  凹み
１０  保護ケース
１１  ケース本体
１２  ケース本体の上面板
１３  ケース本体の左右の側面板
１５  ケース本体の後面板
１６  第１突部
１７  第２突部
１９  係止突起
【図１】
2005247370.tif 000003
【図２】
2005247370.tif 000004
【図３】
2005247370.tif 000005
【図４】
2005247370.tif 000006